(57)【要約】【課題】鉄粉等の侵入による短絡を防ぐことができる電池パックを提供すること。【解決手段】電池ケース内に複数の電池セル６を収納するとともに、上ケースに冷却用の通風孔２ｂを形成して成る電池パック１において、電池ケース（下ケース２Ｂ）の内部に磁石８を配置する。そして、磁石８を、下ケース２Ｂ内の通風孔２ｂの近傍に電池セル６の長手方向に沿って配置する。又、磁石８を電池セル６の電極の中間付近に配置する。従って、本発明によれば、上ケースに形成された冷却用の通風孔２ｂから冷却風と共に鉄粉等が電池ケース内に侵入しても、この鉄粉等は、磁石８に吸着されて電池ケース内に浮遊することがないため、鉄粉等に起因する電池セル６間の短絡を防ぐことができる。【選択図】図５
2008047373.tif 000002
【特許請求の範囲】
【請求項１】
ケース内に複数の電池セルを収納するとともに、ケースに冷却用の通風孔を形成して成る電池パックにおいて、
前記ケースの内部に磁石を配置したことを特徴とする電池パック。
【請求項２】
前記磁石を、前記ケース内の前記通風孔の近傍に前記電池セルの長手方向に沿って配置したことを特徴とする請求項１記載の電池パック。
【請求項３】
前記磁石を前記電池セルの電極の中間付近に配置したことを特徴とする請求項１又は２記載の電池パック。
【発明の詳細な説明】
【技術分野】
【０００１】
本発明は、コードレス電動工具に着脱可能に装着される電池パックに関するものである。
【背景技術】
【０００２】
コードレス電動工具には電池パックが着脱可能に装着されるが、この電池パックには、ケース内に電池セルを冷却するための冷却風を通す通風孔を形成しているものもある。この通風孔には、冷却風と共に異物が侵入するのを防ぐための網状のフィルタを設けることが多い。
【０００３】
尚、電池パック内に磁石を配置することに関しては特許文献１に、電池パックの構造に関しては特許文献２に提案がなされている。
【特許文献１】特開平１１−００８９４２号公報
【特許文献２】特開２０００−２７７０７３号公報
【発明の開示】
【発明が解決しようとする課題】
【０００４】
しかし、通風孔に設けられた網状のフィルタは、比較的大きな異物のケース内への侵入を防ぐには有効であるが、鉄粉等の微細な粉末状のものは通してしまう。
【０００５】
コードレス電動工具には様々な種類があり、使用中に鉄粉が発生する場合がある。又、電池パックは、鉄粉が発生する作業現場に放置される場合もある。電池パック内に鉄粉が侵入すると、複数の電池セル間に短絡が発生する可能性がある。
【０００６】
本発明は上記問題に鑑みてなされたもので、その目的とする処は、鉄粉等の侵入による電池セル間の短絡を防ぐことができる電池パックを提供することにある。
【課題を解決するための手段】
【０００７】
上記目的を達成するため、請求項１記載の発明は、ケース内に複数の電池セルを収納するとともに、ケースに冷却用の通風孔を形成して成る電池パックにおいて、前記ケースの内部に磁石を配置したことを特徴とする。
【０００８】
請求項２記載の発明は、請求項１記載の発明において、前記磁石を、前記ケース内の前記通風孔の近傍に前記電池セルの長手方向に沿って配置したことを特徴とする。
【０００９】
請求項３記載の発明は、請求項１又は２記載の発明において、前記磁石を前記電池セルの電極の中間付近に配置したことを特徴とする。
【発明の効果】
【００１０】
請求項１記載の発明によれば、ケースに形成された冷却用の通風孔から冷却風と共に鉄粉等がケース内に侵入しても、この鉄粉等は、ケースの内部に配置された磁石に吸着されてケース内に浮遊することがないため、鉄粉等に起因する電池セル間の短絡を防ぐことができ、鉄粉等が発生する作業環境においてもコードレス電動工具を安心して使用することができる。
【００１１】
請求項２記載の発明によれば、磁石をケース内の通風孔の近傍に配置したため、通風孔から冷却風と共にケース内に侵入する鉄粉等を磁石に効率良く吸着させることができる。又、磁石を電池セルの長手方向に沿って配置したため、この磁石が冷却風の流れを阻害することがなく、冷却性能の低下を招くことがない。
【００１２】
請求項３記載の発明によれば、磁石を電池セルの電極の中間付近に配置したため、この磁石に吸着された鉄粉等と各電池セルの電極の間の距離が長くなり、鉄粉等に起因する電池セル間の短絡を一層確実に防ぐことができる。
【発明を実施するための最良の形態】
【００１３】
図１は本発明に係る電池パックの側面図、図２は同電池パックの平面図、図３は同電池パックの正面図（図１の矢視Ａ方向の図）、図４は図３のＢ−Ｂ線断面図、図５は電池パックの内部構造を示す平面図、図６は同電池パックの内部構造を示す側断面図（図２においてケースを半裁してケース内を示す矢視Ｃ方向の図）、図７は電池セルの斜視図である。
【００１４】
本発明に係る電池パック１は、図１及び図３に示すように、上下に２分割された樹脂製の上ケース２Ａと下ケース２Ｂとで密閉容器を構成する電池ケース２を有している。ここで、下ケース２は、上面が開口するボックス状に成形されており、その長手方向の一端（図１の左端）には、ラッチ３が設けられており、電池パック１をコードレス電動工具に装着する際、このラッチ３が工具側のラッチ受け部と係合することにより電池パック１の落下が防がれる。尚、ラッチ３は工具側と係合することができれば、電池パック１の側面（図１の手前側）等、どこに設けても良い。
【００１５】
上ケース２Ａは、下ケース２Ｂの上面開口部を覆うカバーとして機能するものであって、これにはコードレス電動工具や充電器に装着するための装着部２ａが一体に立設されている。そして、装着部２ａの上部には開口部２ａ−１が形成されており、これらの開口部２ａ−１からはコードレス電動工具や充電器に電気的に接続される外部端子４ａ，４ｂ，４ｃ，４ｄがそれぞれ露出している。
【００１６】
又、上ケース２Ａには、図２及び図４に示すように、矩形孔状の複数（図示例では１２）の通風孔２ｂが形成されており、これらの通風孔２ｂは、図４に示すように、上ケース２Ａの裏面に貼着された網状のフィルタ５によって覆われている。尚、フィルタ５は、通風孔２ｂから電池ケース２内への異物の侵入を防ぐためのものである。
【００１７】
而して、図５及び図６に示すように、電池ケース２の内部に形成される密閉空間の下段（下ケース２Ｂの内部）には、電圧発生源である図７に示すような円柱状の８本の電池セル６が縦置き状態で収納されており、密閉空間の上段であって装着部２ａの内部には、図６に示すように、下段の電池セル６の上に２本の電池セル６が重ねられて縦置き状態で収納されている。そして、隣接する２本の電池セル６同士は、図５に示すように、内部端子７によって互いに電気的に接続されている。尚、上ケース２Ａの装着部２ａの上部に露出する４つの外部端子４ａ〜４ｄは、電池セル６を不図示のコードレス電動工具や充電器に電気的に接続するためのものである。又、各電池セル６は、図７に示すように、その長手方向の両端に電極６ａ，６ｂが形成されている。
【００１８】
ところで、本発明に係る電池パック１は、図５及び図６に示すように、電池ケース２の内部に矩形プレート状の磁石８を配置したことを特徴としている。ここで、磁石は、図２及び図４に示すように、上ケース２Ａに形成された通風孔２ｂが設けられた側の通風孔２ｂの下方に設けられている。
【００１９】
より具体的には、図５に示すように、下ケース２Ｂの内面には、縦方向に延びる複数のリブ２ｃが形成されており、これらのリブ２ｃのうち上ケース２Ａの通風孔２ｂの下方に位置する２つのリブ２ｃの間に磁石８が下ケース２Ｂの内面に密着するようにして設けられている。そして、この磁石８は、図５及び図６に示すように、隣接する２本の電池セル６の各電極６ａ，６ｂの中間（横及び縦方向）近傍に電池セル６の長手方向に沿って配置されている。
【００２０】
以上のように構成された電池パック１においては、電池ケース２の内部に磁石８を配置したため、電池ケース２の上ケース２Ａに形成された冷却用の通風孔２ｂから冷却風と共に鉄粉等が電池ケース２内に侵入しても、この鉄粉等は、電池ケース２の内部に配置された磁石８に吸着されて電池ケース２内に浮遊することがない。このため、鉄粉等に起因する電池セル６間の短絡が防がれ、鉄粉等が発生する作業環境においてもコードレス電動工具を安心して使用することができる。
【００２１】
又、磁石８を電池ケース２内の通風孔２ｂの近傍に配置したため、通風孔２ｂから冷却風と共に電池ケース２内に侵入する鉄粉等を磁石８に効率良く吸着させることができる。そして、磁石８を電池セル６の長手方向に沿って配置したため、この磁石８が冷却風の流れを阻害することがなく、冷却性能の低下を招くことがない。
【００２２】
更に、磁石８を電池セル６の電極６ａ，６ｂの中間付近に配置したため、この磁石８に吸着された鉄粉等と各電池セル６の電極６ａ，６ｂの間の距離が長くなり、鉄粉等に起因する電池セル６間の短絡を一層確実に防ぐことができる。
【００２３】
尚、以上はコードレス電動工具に差し込んで装着される差込式の電池パックについて説明したが、本発明は、スライド式の電池パックに対しても同様に適用可能であることは勿論である。
【図面の簡単な説明】
【００２４】
【図１】本発明に係る電池パックの側面図である。
【図２】本発明に係る電池パックの平面図である。
【図３】本発明に係る電池パックの正面図（図１の矢視Ａ方向の図）である。
【図４】図３のＢ−Ｂ線断面図である。
【図５】本発明に係る電池パックの内部構造を示す平面図である。
【図６】本発明に係る電池パックの内部構造を示す側断面図（図２においてケースを半裁してケース内を示す矢視Ｃ方向の図）である。
【図７】本発明に係る電池パックに収容される電池セルの斜視図である。
【符号の説明】
【００２５】
１      電池パック
２      電池ケース
２Ａ    上ケース
２Ｂ    下ケース
２ａ    装着部
２ａ−１  装着部の矩形開口部
２ｂ    通風孔
２ｃ    リブ
３      ラッチ
４ａ〜４ｄ  外部端子
５      フィルタ
６      電池セル
６ａ，６ｂ  電極
７      内部端子
８      磁石
【図１】
2008047373.tif 000003
【図２】
2008047373.tif 000004
【図３】
2008047373.tif 000005
【図４】
2008047373.tif 000006
【図５】
2008047373.tif 000007
【図６】
2008047373.tif 000008
【図７】
2008047373.tif 000009